【手続補正書】
【提出日】平成17年5月27日(2005.5.27)
【手続補正１】
【補正対象書類名】明細書
【補正対象項目名】請求項１
【補正方法】変更
【補正の内容】
【請求項１】
流体流路内に設置されて、流入パイプまたは流出パイプに連通する複数の開口部を備えた本体が、前記開口部を開閉する弁体と、この弁体を駆動する駆動手段と、この駆動手段から前記弁体に回転を伝達する回転伝達部材と、前記開口部が形成され、この開口部を開閉するように前記弁体が圧接して摺動される弁座プレートとを有し、この弁座プレートおよび前記弁体を前記駆動手段および前記回転伝達部材とともに気密に封止して密閉空間を構成するケース体とからなる多方向制御方式のバルブ駆動装置であって、前記弁体は前記弁座プレートから離間可能で、前記弁座プレートと前記ケース体とを溶接するとき、前記弁体を前記弁座プレートから離間した離間位置に一時的に係止する保持手段を設けたことを特徴とするバルブ駆動装置。
【手続補正２】
【補正対象書類名】明細書
【補正対象項目名】請求項２
【補正方法】変更
【補正の内容】
【請求項２】
前記保持手段は、前記弁体を前記弁座プレートに圧接する付勢手段に抗して前記弁体を前記弁座プレートから離間させ、溶接後に前記保持手段による係止を解除して、前記付勢手段によって前記弁座プレートとの当接位置に復帰させた前記弁体は、開閉回転動作が前記保持手段から干渉されない位置に離間することを特徴とする請求項１に記載のバルブ駆動装置。
【手続補正３】
【補正対象書類名】明細書
【補正対象項目名】０００７
【補正方法】変更
【補正の内容】
【０００７】
しかしながら、２本の流出パイプ２０６ａ，２０６ｂに対してロータ２０１と一体に形成されたピニオン２０３から歯車連結で放射状に配置された弁体２０２ａ，２０２ｂの位置が、ケース体２０４と本体ベースプレート２０５とを気密に封止するＴＩＧ溶接の加熱を受ける外周部位２０４ａに近くなるため、板バネ２０８で弁座２０５ａに圧接されている樹脂製の弁体２０２ａ、２０２ｂが溶接熱に直接曝されて変質あるいは変形し、機能不良を招く可能性がある。
【手続補正４】
【補正対象書類名】明細書
【補正対象項目名】００１０
【補正方法】変更
【補正の内容】
【００１０】
【課題を解決するための手段】
上記の目的を達成するために、本発明に係わるバルブ駆動装置は、流体流路内に設置されて、流入パイプまたは流出パイプに連通する複数の開口部を備えた本体が、前記開口部を開閉する弁体と、この弁体を駆動する駆動手段と、この駆動手段から前記弁体に回転を伝達する回転伝達部材と、前記開口部が形成され、この開口部を開閉するように前記弁体が圧接して摺動される弁座プレートとを有し、この弁座プレートおよび前記弁体を前記駆動手段および前記回転伝達部材とともに気密に封止して密閉空間を構成するケース体とからなる多方向制御方式のバルブ駆動装置であって、前記弁体は前記弁座プレートから離間可能で、前記弁座プレートと前記ケース体とを溶接するとき、前記弁体を前記弁座プレートから離間した離間位置に一時的に係止する保持手段を設けた。
【手続補正５】
【補正対象書類名】明細書
【補正対象項目名】００１４
【補正方法】変更
【補正の内容】
【００１４】
ロータ１５は外周にマグネット１５ａが一体に固設され、弁座プレート１３側の端部にはピニオン１７が形成されて、固設したロータ支軸１８に回転自在に支承される。ケース体１４は、ロータ１５のマグネット１５ａの外周面とステータコイル１６ａの内周面が近接するように縮径されて、閉端側にロータ１５の支軸１８の一端に嵌合して中心位置に安定に支持する凹部１４ａが設けられる。ケース体１４の開端１４ｂ側は拡径してステータ１６を載置する段部１４ｃを設け、拡径された開端１４ｂの内面は、プレス成形した弁座プレート１３の段付き外周の周縁部１３ａと密に嵌合する。ケース体１４の開端１４ｂを弁座プレート１３の周縁部１３ａに嵌入すると、弁座プレート１３の中心孔１３ｂとケース体１４の固定軸支持凹部１４ａとは同一軸線上に整合する。
【手続補正６】
【補正対象書類名】明細書
【補正対象項目名】００１８
【補正方法】変更
【補正の内容】
【００１８】
図３（ａ），（ｂ）は、弁座プレートの裏面１３ｆ側からの図示で、段付孔２９を設けた弁座プレート１３の裏面１３ｆに位置決め突起１３ｇに対応させて穿設したノック孔３０ｈを嵌合させて、図３（ａ）に示すようなパイプ支持板３０を重ね、位置決め突起１３ｇをカシメて弁座プレート１３に固着する。プレス成形されたパイプ支持板３０は薄い金属板で、流入パイプ２６および第一、第二流出パイプ２８Ａ，２８Ｂを含む３箇所のパイプ嵌入用段付孔２９の対応位置に図３（ｃ），（ｄ）に示すような折曲げによる段部３０ａを設けて弁座プレート１３との固着面から離間する保持ブラケット３０ｂを形成し、それぞれのパイプ嵌入用段付孔２９との整合位置には、流入パイプ２６、第一、第二流出パイプ２８Ａ，２８Ｂそれぞれの外径に密着してパイプの側面を支持し、段付孔２９と協働でパイプを直立状態に保持する貫通孔３０ｃが穿設される。
【手続補正７】
【補正対象書類名】明細書
【補正対象項目名】００２２
【補正方法】変更
【補正の内容】
【００２２】
図３（ｃ），（ｄ）は、図３（ｂ）のｃ−ｃ線およびｄ−ｄ線に沿った断面で、図１の図示方向に対して倒立させた図示である。弁座プレート裏面１３ｆ方向から、中心孔１３ｂおよび支軸固設孔１３ｃにロータ支軸１８と２本の歯車支軸２１Ａ，２１Ｂの計３本をそれぞれ圧入する。さらに、流入パイプ２６および第一、第二流出パイプ２８Ａ，２８Ｂの計３本を、パイプ支持板３０の各対応貫通孔３０ｃに嵌挿して直立させ端面を弁座プレート１３の裏面１３ｆに凹設した段付孔２９に着座させる。上記総計６本の部材を外付する６箇所に対して、弁座プレートの裏面１３ｆから溶接またはロー付を行うとともに気密を確保する。このように、パイプ間距離が長くとれ、かつ同一の裏面１３ｆに流入パイプ２６および流出パイプ２８Ａ，２８Ｂが全て配置されることによって、同一方向からの組立およびロー付作業が容易となり、作業性が向上するので品質が安定する。
【手続補正８】
【補正対象書類名】明細書
【補正対象項目名】００２９
【補正方法】変更
【補正の内容】
【００２９】
図５および図７に示されるように、歯車２０Ａと一体で摩擦結合により支持されている弁体２４Ａは弁座プレート１３上方の離間位置に保持され、双方の間に空気絶縁層５０が形成される。そこで、ロータ１５を含む弁座プレート１３上の駆動手段のピニオン１７、回転伝達手段である歯車２０Ａ，２０Ｂおよび弁体２４Ａ，２４Ｂの全てをケース体１４で覆い、開端１４ａを弁座プレート１３の周縁部１３ａに嵌合させて端面同士を密着させる。
【手続補正９】
【補正対象書類名】明細書
【補正対象項目名】００３４
【補正方法】変更
【補正の内容】
【００３４】
図９（ａ）は、弁座側から見た弁体２４（Ａ，Ｂ）と歯車２０（Ａ，Ｂ）とを複合した平面図で、図９（ｂ）は図９（ａ）のｂ−ｂ線に沿った断面図である。図１０（ａ）は歯車２０（Ａ，Ｂ）の平面図、図１０（ｂ）は、図１０（ａ）のｂ−ｂ線に沿った断面図である。そして、図１０（ｃ）は図１０（ａ）の背面図である。歯車２０（Ａ，Ｂ）は一部を欠歯して、ピニオン１７と噛合不能の非歯車突出部３２が設けてある。これにより、歯車２０（Ａ，Ｂ）の回転が規制され起動原点を設定することができる。
【手続補正１０】
【補正対象書類名】明細書
【補正対象項目名】００４０
【補正方法】変更
【補正の内容】
【００４０】
【発明の効果】
以上の説明で明らかなように、請求項１に記載の本発明に係わるバルブ駆動装置によれば、流体流路内に設置されて、流入パイプまたは流出パイプに連通する複数の開口部を備えた本体と、前記開口部それぞれに設けられて各開口部を回転により個別に開閉する弁体と、この弁体を駆動する駆動手段と、この駆動手段から前記弁体に回転を伝達する回転伝達部材とを有し、前記各開口部に臨む前記弁体が前記各開口部毎に摺動可能に圧接される弁座プレートと、この弁座プレートおよび前記弁体を前記駆動手段および前記回転伝達部材とともに気密に封止して密閉空間を構成するケース体とからなる多方向制御方式の電動膨張弁であって、前記弁体は前記弁座プレートから離間可能で、前記弁座プレートと前記ケース体とを溶接するときのみ、前記弁体を前記弁座プレートから離間した離間位置に一時的に係止する保持手段を設けた。このため弁体と弁座プレートとの間に熱絶縁の極めて優れた空気層の形成で弁体を溶接熱から保護し、摺接面の変形を防止するので弁体のシール特性を良好に維持することができる。
【手続補正１１】
【補正対象書類名】明細書
【補正対象項目名】００４１
【補正方法】変更
【補正の内容】
【００４１】
請求項２に記載の本発明に係わるバルブ駆動装置によれば、前記保持手段は、前記弁体を前記弁座プレートに圧接する付勢手段に抗して前記弁体を前記弁座プレートから離間させ、溶接後に前記保持手段による係止を解除して、前記付勢手段によって前記弁座プレートとの当接位置に復帰させた前記弁体は、開閉回転動作が前記保持手段から干渉されない位置に離間する。このように、係止が解除されるまでは空気絶縁層が確保されており、弁体が初期設定の始動を行う前の係止状態でパイプ配管の溶接を行うことが可能であるから、パイプ長や位置決めなどの選択の自由度が拡大し経済効果が期待できる。また、保持手段の係止は不可逆的で、一度解除された弁体は、保持手段から完全かつ確実に離脱し、係止解除後の弁体は弁座プレートと密着して開口部十分に気密性を維持し、開閉回転動作は全く自由で支障なく行うことができる。
【手続補正１２】
【補正対象書類名】明細書
【補正対象項目名】図１０
【補正方法】変更
【補正の内容】
【図１０】
本発明に係わるバルブ駆動装置における歯車の部品図で、（ａ）は下面からの平面図、（ｂ）は（ａ）におけるｂ−ｂ線に沿った断面図、（ｃ）は上面からの平面図である。
【手続補正１３】
【補正対象書類名】図面
【補正対象項目名】図５
【補正方法】変更
【補正の内容】
【図５】
2003056734.tif 000001
【手続補正１４】
【補正対象書類名】図面
【補正対象項目名】図７
【補正方法】変更
【補正の内容】
【図７】
2003056734.tif 000002